(57)【要約】【課題】  波長が異なる３つのレーザー光によって異なる規格の光ディスクに記録されている信号の読み出し動作を行うことが出来る光ピックアップ装置を提供する。【解決手段】  波長が異なる第１、第２及び第３レーザー光によって規格の異なる第１、第２及び第３光ディスクに設けられている信号記録層に集光させることによって各信号記録層に記録されている信号の読み出し動作を行うように構成された光ピックアップ装置において、１／４波長板８と対物レンズとの間に設けられているとともにレーザー光の透過角度を調整変更するべく光軸方向への変位を可能に設けられているコリメートレンズ９を設け、２波長レーザーダイオード３から放射される第２レーザー光及び第３レーザー光を使用するとき、前記コリメートレンズ９を対物レンズ方向へ移動させることによって対物レンズに収束光を入射させる。【選択図】  図１
2012169001.tif 000002
【特許請求の範囲】
【請求項１】
光ディスクの表面から信号記録層までの距離が短い第１光ディスクに記録されている信号の読み出し動作を行う第１波長の第１レーザー光を放射するレーザーダイオード、光ディスクの表面から信号記録層までの距離が前記第１光ディスクより長い第２光ディスクに記録されている信号の読み出し動作を行う第２波長の第２レーザー光及び光ディスクの表面から信号記録層までの距離が前記第２光ディスクより長い第３光ディスクに記録されている信号の読み出し動作を行う第３波長の第３レーザー光の２つのレーザー光を放射する２波長レーザーダイオードが組み込まれた光ピックアップ装置において、前記レーザーダイオードから放射される第１レーザー光を対物レンズ方向へ導くとともに前記第１光ディスクの信号記録層、第２光ディスクの信号記録層及び第３光ディスクの信号記録層から反射される第１レーザー光、第２レーザー光及び第３レーザー光を光検出器方向へ導くハーフミラーと、該ハーフミラーと対物レンズとの間に設けられているとともに前記２波長レーザーダイオードから放射される第２レーザー光及び第３レーザー光を対物レンズ方向へ導き、且つ前記第１光ディスクの信号記録層、第２光ディスクの信号記録層及び第３光ディスクの信号記録層から反射される第１レーザー光、第２レーザー光及び第３レーザー光を前記ハーフミラー方向へ導く偏光ビームスプリッタと、該偏光ビームスプリッタと対物レンズとの間に設けられているとともに第１レーザー光、第２レーザー光及び第３レーザー光の偏光方向を直線偏光光から円偏光光へ、また円偏光光から直線偏光光へ変換する３波長対応型の１／４波長板と、該１／４波長板と対物レンズとの間に設けられているとともにレーザー光の透過角度を調整変更するべく光軸方向への変位を可能に設けられているコリメートレンズとより成り、前記２波長レーザーダイオードから放射される第２レーザー光及び第３レーザー光を使用するとき、前記コリメートレンズを対物レンズ方向へ移動させることによって対物レンズに収束光を入射させるようにしたことを特徴とする光ピックアップ装置。
【請求項２】
第２レーザー光及び第３レーザー光が入射される対物レンズにて各レーザー光の球面収差を補正するようにしたことを特徴とする請求項１に記載の光ピックアップ装置。
【請求項３】
対物レンズに収差補正手段を設けたことを特徴とする請求項２に記載の光ピックアップ装置。
【請求項４】
収差補正手段として回折輪帯を設けたことを特徴とする請求項３に記載の光ピックアップ装置。
【発明の詳細な説明】
【技術分野】
【０００１】
本発明は、光ディスクに記録されている信号の読み出し動作や光ディスクに信号の記録動作をレーザー光によって行う光ピックアップ装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格の光ディスクを使用するものが開発されている。
【０００４】
ＣＤ規格の光ディスクに記録されている信号の読み出し動作を行うレーザー光としては、波長が７８５ｎｍである赤外光が使用され、ＤＶＤ規格の光ディスクに記録されている信号の読み出し動作行うレーザー光としては、波長が６５５ｎｍの赤色光が使用されている。
【０００５】
また、ＣＤ規格の光ディスクにおける信号記録層と光ディスクの表面との間に設けられている透明な保護層の厚さは１．２ｍｍであり、この信号記録層から信号の読み出し動作を行うために使用される対物レンズの開口数は、０．４７と設定されている。そして、ＤＶＤ規格の光ディスクにおける信号記録層と光ディスクの表面との間に設けられている透明な保護層の厚さは０．６ｍｍであり、この信号記録層から信号の読み出し動作を行うために使用される対物レンズの開口数は、０．６と設定されている。
【０００６】
斯かるＣＤ規格及びＤＶＤ規格の光ディスクに対して、Ｂｌｕ−ｒａｙ規格の光ディスクに記録されている信号の読み出し動作を行うレーザー光としては、波長が短いレーザー光、例えば波長が４０５ｎｍの青紫色光が使用されている。
【０００７】
Ｂｌｕ−ｒａｙ規格の光ディスクにおける信号記録層の上面に設けられている保護層の厚さは、０．１ｍｍであり、この信号記録層から信号の読み出し動作を行うために使用される対物レンズの開口数は、０．８５と設定されている。
【０００８】
Ｂｌｕ−ｒａｙ規格の光ディスクに設けられている信号記録層に記録されている信号の読み出し動作や該信号記録層に信号を記録するためにレーザー光を集光させることによって生成されるレーザースポットの径を小さくする必要がある。所望のレーザースポット形状を得るために使用される対物レンズは、開口数が大きくなるだけでなく焦点距離が短くなるので、対物レンズの曲率半径が小さくなるという特徴がある。
【０００９】
前述したＣＤ規格、ＤＶＤ規格及びＢｌｕ−ｒａｙ規格の全ての光ディスクに記録されている信号の読み出し動作や記録動作を行うことが出来る光ディスク装置が製品化されているが、斯かる光ディスク装置に組み込まれる光ピックアップ装置として、Ｂｌｕ−ｒａｙ規格の光ディスクに記録されている信号の読み出し動作を行う第１レーザー光を放射するレーザーダイオード、該レーザーダイオードから放射される第１レーザー光を信号記録層に集光させる第１対物レンズ、ＤＶＤ規格の光ディスクに記録されている信号の読み出し動作を行う第２レーザー光及びＣＤ規格の光ディスクに記録されている信号の読み出し動作を行う第３レーザー光を放射する２波長レーザーダイオード、そして第２レーザー光及び第３レーザー光を各光ディスクの信号記録層に集光させる第２対物レンズが組み込まれた光ピックアップ装置が一般に採用されている(特許文献１参照。)。
【００１０】
また、一つの対物レンズによって入射される異なる波長のレーザー光を異なる規格の光ディスクに設けられている信号記録層に集光させるように構成された光ピックアップ装置では、対物レンズの入射面に回折輪帯を形成する技術が多く採用されている(特許文献２参照。)。
【先行技術文献】
【特許文献】
【００１１】
【特許文献１】特開２０１０−６１７８１号公報
【特許文献２】特開２００６−１０７６８０号公報
【発明の概要】
【発明が解決しようとする課題】
【００１２】
１つの波長のレーザー光を放射するレーザーダイオード、２つの波長のレーザー光を放射する２波長レーザーダイオード、そして２つの対物レンズによって規格の異なる３つの光ディスクに記録されている信号の読み出し動作を行うように構成された光ピックアップ装置において、レーザー光毎に光路を設けた場合には多くの光学部品を必要とするため高価になるだけでなく、小型化することが出来ないという問題がある。
【００１３】
斯かる問題を解決する方法として第１レーザー光、第２レーザー光及び第３レーザー光の光路を共通化すること、即ち光路合成が行われている。斯かる光路合成を行うように構成された従来の光ピックアップ装置について図２及び図３を参照して説明する。
【００１４】
図３において、１は例えば波長が４０５ｎｍの青紫色光である第１レーザー光を生成放射するレーザーダイオード、２は前記レーザーダイオード１から放射される第１レーザー光が入射される第１回折格子であり、レーザー光を０次光であるメインビーム、＋１次光及び−１次光である２つのサブビームに分離する回折格子部２ａと入射されるレーザー光をＳ方向の直線偏光光に変換する１／２波長板２ｂとより構成されている。
【００１５】
３は例えば波長が６５５ｎｍの赤色光である第２レーザー光を生成放射する第１レーザー素子及び７８５ｎｍの赤外色光である第３レーザー光を生成放射する第２レーザー素子が同一のケース内に収納されている２波長レーザーダイオードである。
【００１６】
４は前記２波長レーザーダイオード３に組み込まれている第１レーザー素子から放射される第２レーザー光及び第２レーザー素子から放射される第３レーザー光が入射される第２回折格子であり、レーザー光を０次光であるメインビーム、＋１次光及び−１次光である２つのサブビームに分離する回折格子部４ａと入射されるレーザー光をＳ方向の直線偏光光に変換する１／２波長板４ｂとより構成されている。
【００１７】
５は前記第１回折格子２を通して入射される第１レーザー光を反射させるとともに後述する光ディスクから反射されて来る戻り光と呼ばれるレーザー光を透過させるハーフミラー、６は前記ハーフミラー５にて反射された第１レーザー光を透過させるとともに光ディスクから反射されて来るレーザー光を透過させるダイバージェンスレンズであり、入射されるレーザー光の発散角度を調整する作用を成すものである。
【００１８】
７は前記ダイバージェンスレンズ６を通して入射される第１レーザー光を反射させるとともに前記第２回折格子４を通して入射される前記２波長レーザーダイオード３から放射される第２レーザー光及び第３レーザー光を透過させる偏光ビームスプリッタであり、光ディスクから反射されて来る第１レーザー光、第２レーザー光及び第３レーザー光の戻り光をダイバージェンスレンズ６の方向、即ちハーフミラー５の方向へ反射させる作用を成すものである。
【００１９】
８は前記偏光ビームスプリッタ７にて反射された第１レーザー光、該偏光ビームスプリッタ７を透過した第２レーザー光及び第３レーザー光が入射される位置に設けられているとともに３つの異なる波長のレーザー光に対応して入射されるレーザー光を直線偏光光から円偏光光に、また反対に円偏光光から直線偏光光に変換する作用を成す３波長対応型の１／４波長板である。
【００２０】
９は前記１／４波長板８を透過したレーザー光が入射されるとともに入射されるレーザー光を平行光に変換するコリメートレンズであり、収差補正用モーター１０の回転駆動動作によって光軸方向へ変位されるように構成されている。斯かる収差補正用モーター１０の回転駆動動作によってコリメートレンズ９は、光軸方向へ変位せしめられるが、斯かる変位動作によって光ディスクの保護層の厚さに起因して生じる球面収差を補正するように構成されている。
【００２１】
１１は第１レーザー光を第１光ディスクＤ１(図２参照)に設けられている信号記録層Ｌ１に集光する第１対物レンズ、１２は第２レーザー光を第２光ディスクＤ２に設けられている信号記録層Ｌ２に集光させるとともに第３レーザー光を第３光ディスクＤ３に設けられている信号記録層Ｌ３に集光させる２波長対応の第２対物レンズである。斯かる構成において、第１対物レンズ１１と第２対物レンズ１２とは、例えば４本の支持ワイヤーによって光ディスクの面に対して直角方向であるフォーカシング方向への変位動作及び光ディスクの径方向であるトラッキング方向への変位動作を行うことが出来るように支持されているレンズホルダーと呼ばれる部材に搭載されている。
【００２２】
前記コリメートレンズ９を透過した第１レーザー光、第２レーザー光及び第３レーザー光は、図２に示す光学系によって第１対物レンズ１１及び第２対物レンズ１２に導かれるように構成されている。図２において、１３は波長選択性素子であり、第１レーザー光を透過させるとともに第２レーザー光及び第３レーザー光を第２対物レンズ１２方向へ反射させるように構成されている。１４は前記波長選択性素子１３を透過した第１レーザー光を第１対物レンズ１１方向へ反射させる立ち上げミラーである。斯かる構成は特許文献１に記載されている技術と同一であるので、その説明は省略する。
【００２３】
斯かる構成において、コリメートレンズ９を透過した第１レーザー光は、前記波長選択性素子１３を透過するとともに立ち上げミラー１４にて反射されて第１対物レンズ１１に入射されることになる。このようにして第１対物レンズ１１に入射された第１レーザー光は、該第１対物レンズ１１の集光動作によって第１光ディスクＤ１に設けられている信号記録層Ｌ１に集光されることになる。
【００２４】
また、前記コリメートレンズ９を透過した第２レーザー光は、前記波長選択性素子１３にて反射されて第２対物レンズ１２に入射されることになる。このようにして第２対物レンズ１２に入射された第２レーザー光は、該第２対物レンズ１２の集光動作によって第２光ディスクＤ２に設けられている信号記録層Ｌ２に集光されることになる。そして、コリメートレンズ９を透過した第３レーザー光は、前記波長選択性素子１３にて反射されて第２対物レンズ１２に入射されることになる。このようにして第２対物レンズ１２に入射された第３レーザー光は、該第２対物レンズ１２の集光動作によって第３光ディスクＤ３に設けられている信号記録層Ｌ３に集光されることになる。
【００２５】
斯かる構成において、レーザーダイオード１から放射された第１レーザー光は、第１回折格子２、ハーフミラー５、ダイバージェンスレンズ６、偏光ビームスプリッタ７、１／４波長板８、コリメートレンズ９、波長選択性素子１３及び立ち上げミラー１４を介して第１対物レンズ１１に入射された後、該第１対物レンズ１１の集光動作によって第１光ディスクＤ１に設けられている信号記録層Ｌ１に集光スポットとして照射されるが、前記信号記録層Ｌ１に照射された第１レーザー光は該信号記録層Ｌ１にて戻り光として反射されることになる。
【００２６】
また、２波長レーザーダイオード３に組み込まれている第１レーザー素子から放射された第２レーザー光は、第２回折格子４、偏光ビームスプリッタ７、１／４波長板８、コリメートレンズ９及び波長選択性素子１３を介して第２対物レンズ１２に入射された後、該第２対物レンズ１２の集光動作によって第２光ディスクＤ２に設けられている信号記録層Ｌ２に集光スポットとして照射されるが、前記信号記録層Ｌ２に照射された第２レーザー光は該信号記録層Ｌ２にて戻り光として反射されることになる。
【００２７】
そして、２波長レーザーダイオード３に組み込まれている第２レーザー素子から放射された第３レーザー光は、第２回折格子４、偏光ビームスプリッタ７、１／４波長板８、コリメートレンズ９及び波長選択性素子１３を介して第２対物レンズ１２に入射された後、該第２対物レンズ１２の集光動作によって第３光ディスクＤ３に設けられている信号記録層Ｌ３に集光スポットとして照射されるが、前記信号記録層Ｌ３に照射された第３レーザー光は該信号記録層Ｌ３にて戻り光として反射されることになる。
【００２８】
第１光ディスクＤ１の信号記録層Ｌ１から反射された第１レーザー光の戻り光は、第１対物レンズ１１、立ち上げミラー１４、波長選択性素子１３、コリメートレンズ９、１／４波長板８、偏光ビームスプリッタ７及びダイバージェンスレンズ６を通してハーフミラー５に入射される。このようにしてハーフミラー５に入射される戻り光は、前記１／４波長板８による位相変更動作によってＰ方向の直線偏光光に変更されている。従って、斯かる第１レーザー光の戻り光は前記ハーフミラー５にて反射されることはなく、制御用レーザー光として該ハーフミラー５を透過することになる。
【００２９】
また、第２光ディスクＤ２の信号記録層Ｌ２から反射された第２レーザー光の戻り光は、第２対物レンズ１２、波長選択性素子１３、コリメートレンズ９、１／４波長板８、偏光ビームスプリッタ７及びダイバージェンスレンズ６を通してハーフミラー５に入射される。このようにしてハーフミラー５に入射される戻り光は、前記１／４波長板８による位相変更動作によってＰ方向の直線偏光光に変更されている。従って、斯かる第２レーザー光の戻り光は前記ハーフミラー５にて反射されることはなく、制御用レーザー光として該ハーフミラー５を透過することになる。
【００３０】
そして、第３光ディスクＤ３の信号記録層Ｌ３から反射された第３レーザー光の戻り光は、第２対物レンズ１２、波長選択性素子１３、コリメートレンズ９、１／４波長板８、偏光ビームスプリッタ７及びダイバージェンスレンズ６を通してハーフミラー５に入射される。このようにしてハーフミラー５に入射される戻り光は、前記１／４波長板８による位相変更動作によってＰ方向の直線偏光光に変更されている。従って、斯かる第３レーザー光の戻り光は前記ハーフミラー５にて反射されることはなく、制御用レーザー光として該ハーフミラー５を透過することになる。
【００３１】
１５は前記ハーフミラー５を透過した第１光ディスクＤ１、第２光ディスクＤ２及び第３光ディスクＤ３から反射される戻り光である制御用レーザー光が照射される光検出器であり、周知の４分割センサー等が設けられており、メインビームの照射動作によって光ディスクの信号記録層に記録されている信号の読み出し動作に伴う信号生成動作及び非点収差法によるフォーカシング制御動作を行うためのフォーカスエラー信号生成動作、そして２つのサブビームの照射動作によってトラッキング制御動作を行うためのトラッキングエラー信号生成動作を行うように構成されている。斯かる各種の信号生成のための制御動作は、周知であるので、その説明は省略する。
【００３２】
図３に示す従来の光ピックアップ装置は構成されているが、斯かる構成においてコリメートレンズ９は収差補正用モーター１０の回転駆動動作によって光軸方向へ変位されるが、斯かる変位動作は光ディスクの保護層の厚さの相違や変化に応じて発生する球面収差を補正するために行われるものであり、その変位量は極僅かである。即ち、コリメートレンズ９の変位動作は、第１レーザー光、第２レーザー光及び第３レーザー光による各光ディスクに記録されている信号の読み出し動作を行う場合に発生する球面収差を補正するためにその収差量に応じて行われることになる。斯かる動作は、一般に周知であるので、その説明は省略する。
【００３３】
前述したように図３に示す従来の光ピックアップ装置において、レーザーダイオード１から放射される第１レーザー光の第１光ディスクＤ１の信号記録層Ｌ１までの往路、２波長レーザーダイオード３から放射される第２レーザー光の第２光ディスクＤ２の信号記録層Ｌ２までの往路及び２波長レーザーダイオード３から放射される第３レーザー光の第３光ディスクＤ３の信号記録層Ｌ３までの往路について比較すると、偏光ビームスプリッタ７から波長選択性素子１３までの光路を兼用していることがわかる。
【００３４】
そして、第１光ディスクＤ１の信号記録層Ｌ１から反射される第１レーザー光の戻り光の光検出器１５までの復路、第２光ディスクＤ２の信号記録層Ｌ２から反射される第２レーザー光の戻り光の光検出器１５までの復路及び第３光ディスクＤ３の信号記録層Ｌ３から反射される第３レーザー光の戻り光の光検出器１５までの復路について比較すると、波長選択性素子１３から光検出器１５までの光路を兼用していることがわかる。
【００３５】
図３に示した従来の光ピックアップ装置は、レーザー光を光ディスクの信号記録層に導く往路及び光ディスクの信号記録層から反射される戻り光を光検出器１５に導く復路を全てのレーザー光で兼用しているので、光学部品の数を減らすことが出来、その結果、製造価格を下げることが出来るだけでなく光ピックアップ装置を小型化することが出来るという利点を有している。
【００３６】
レーザーダイオード１から放射される波長が短い第１レーザー光、２波長レーザーダイオード３から放射される第１レーザー光より波長が長い第２レーザー光及び第２レーザー光より波長が長い第３レーザー光の光路合成を行う場合、第１レーザー光を使用する光路の光学倍率と第２レーザー光及び第３レーザー光を使用する光路の光学倍率の差が大きいため、コリメートレンズ９の他にダイバージェンスレンズ６のような光路調整用のレンズが必要であった。
【００３７】
また、異なる波長の３つのレーザー光を使用して異なる規格の光ディスクに記録されている信号の読み出し動作を行うことが出来るように構成された光ピックアップ装置では、一般に波長が最も短い第１レーザー光を使用する光ディスクの光学系を優先するように構成されている。そのため、前記コリメートレンズ９等の仕様は、第１レーザー光の光学系を優先して設計されている。その結果、第２レーザー光及び第３レーザー光の光学系の光学倍率が高くなり、記録動作を行うためのレーザー光の出力が不足するという問題が発生している。
【００３８】
本発明は、斯かる問題を解決することが出来る光ピックアップ装置を提供しようとするものである。
【課題を解決するための手段】
【００３９】
本発明は、レーザーダイオードから放射される第１レーザー光を対物レンズ方向へ導くとともに第１光ディスクの信号記録層、第２光ディスクの信号記録層及び第３光ディスクの信号記録層から反射される第１レーザー光、第２レーザー光及び第３レーザー光を光検出器方向へ導くハーフミラーと、該ハーフミラーと対物レンズとの間に設けられているとともに２波長レーザーダイオードから放射される第２レーザー光及び第３レーザー光を対物レンズ方向へ導き、且つ前記第１光ディスクの信号記録層、第２光ディスクの信号記録層及び第３光ディスクの信号記録層から反射される第１レーザー光、第２レーザー光及び第３レーザー光を前記ハーフミラー方向へ導く偏光ビームスプリッタと、該偏光ビームスプリッタと対物レンズとの間に設けられているとともに第１レーザー光、第２レーザー光及び第３レーザー光の偏光方向を直線偏光光から円偏光光へ、また円偏光光から直線偏光光へ変換する３波長対応型の１／４波長板と、該１／４波長板と対物レンズとの間に設けられているとともにレーザー光の透過角度を調整変更するべく光軸方向への変位を可能に設けられているコリメートレンズとより成り、前記２波長レーザーダイオードから放射される第２レーザー光及び第３レーザー光を使用するとき、前記コリメートレンズを対物レンズ方向へ移動させることによって対物レンズに収束光を入射させるようにしたことを特徴とするものである。
【００４０】
また、本発明は、第２レーザー光及び第３レーザー光が入射される対物レンズにて各レーザー光の球面収差を補正するようにしたことを特徴とするものである。
【００４１】
そして、本発明は、対物レンズに収差補正手段を設けたことを特徴とするものである。
【００４２】
また、本発明は、収差補正手段として回折輪帯を設けたことを特徴とするものである。
【発明の効果】
【００４３】
本発明は、波長が異なる第１、第２及び第３レーザー光を規格の異なる第１、第２及び第３光ディスクに設けられている信号記録層に集光させることによって各信号記録層に記録されている信号の読み出し動作を行うように構成された光ピックアップ装置において、２波長レーザーダイオードから放射される第２レーザー光及び第３レーザー光を使用するとき、コリメートレンズを対物レンズ方向へ移動させることによって対物レンズに収束光を入射させるようにしたので、対物レンズの物体側の開口数を大きくすることが出来、その結果、光学倍率を小さくすることが出来る。
【００４４】
従って、本発明によれば、第１レーザー光に対する光学設計を優先して行っても第２レーザー光及び第３レーザー光の出力を大きくすることが出来るだけでなく、第１レーザー光、第２レーザー光及び第３レーザー光間の光学倍率の差を小さくすることが出来るので、ダイバージェンスレンズのような光路調整用のレンズを使用することなく光路合成を行うことが出来る。
【図面の簡単な説明】
【００４５】
【図１】本発明に係る光ピックアップ装置の一実施例を示す概略図である。
【図２】本発明に係る光ピックアップ装置の実施例の一部を示す図である。
【図３】従来の光ピックアップ装置の一実施例を示す概略図である。
【発明を実施するための形態】
【００４６】
単一のレーザー光を生成するレーザーダイオード及び異なる波長の２つのレーザー光を生成する２波長レーザーダイオードから放射されるレーザー光を利用して異なる規格の光ディスクに設けられている信号記録層に記録されている信号の読み出し動作を行うように構成された光ピックアップ装置に関するものである。
【実施例１】
【００４７】
図１は本発明の光ピックアップ装置の一実施例であり、図３に示した光ピックアップ装置と同一の作用を成す部品には同一の符号を付している。
【００４８】
本発明は、コリメートレンズ９を第２レーザー光及び第３レーザー光を使用する場合に破線９Ａで示すように第２対物レンズ１２側へ大きく移動させるとともに第２対物レンズ１２に形成される回折輪帯によって球面収差を補正するようにしたことを特徴とするものである。
【００４９】
即ち、本発明は、２波長レーザーダイオード３から放射されるレーザー光、即ちレーザーダイオード１から放射される第１レーザー光の波長より短い波長の第２レーザー光及び第３レーザー光を使用するとき、収差補正用モーター１０によってコリメートレンズ９を第２対物レンズ１２側へ大きく変位させることによって第２対物レンズ１２に入射される第２レーザー光及び第３レーザー光を平行光ではなく収束光として入射させるようにしたことを特徴とするものである。
【００５０】
第２対物レンズ１２に入射されるレーザー光を収束光にすると該第２対物レンズ１２の物体側の開口数を大きくすることが出来、その結果、２波長レーザーダイオード３と第２対物レンズ１２間の距離を短くすることが出来るので、第２レーザー光及び第３レーザー光の光学倍率を小さくすることが出来る。従って、２波長レーザーダイオード３から放射される第２レーザー光及び第３レーザー光を使用する場合においても十分なレーザー出力を得ることが出来る。
【００５１】
前述したように本発明の光ピックアップ装置では、第２対物レンズ１２にコリメートレンズ９の９Ａで示す位置への移動動作によって収束光が入射されるので、入射される第２レーザー光及び第３レーザー光の集光動作に作用する位置に各レーザー光の球面収差を補正するための回折輪帯が形成されている。
【００５２】
斯かる構成によれば、レーザーダイオード１から生成放射される第１レーザー光は、第１回折格子２、ハーフミラー５、偏光ビームスプリッタ７、１／４波長板８、コリメートレンズ９、波長選択性素子１３及び立ち上げミラー１４を介して第１対物レンズ１１に導かれ、該第１対物レンズ１１の集光動作によって第１光ディスクＤ１の信号記録層Ｌ１に集光される。
【００５３】
レーザーダイオード１から放射される第１レーザー光は、前述した光路を通して第１光ディスクＤ１の信号記録層Ｌ１に集光されるが、前記第１光ディスクＤ１の信号記録層Ｌ１から反射される第１レーザー光の戻り光は、第１対物レンズ１１、立ち上げミラー１４、波長選択性素子１３、コリメートレンズ９、１／４波長板８、偏光ビームスプリッタ７及びハーフミラー５を介して光検出器１５に照射される。
【００５４】
このようにして第１レーザー光の戻り光を光検出器１５に照射させることによって光ピックアップ装置のフォーカス制御動作及びトラッキング制御動作を行うためのフォーカス制御信号及びトラッキング制御信号を得ることが出来る。
【００５５】
次に、２波長レーザーダイオード３から生成放射される第２レーザー光は、第２回折格子４、偏光ビームスプリッタ７、１／４波長板８、コリメートレンズ９及び波長選択性素子１３を介して第２対物レンズ１２に導かれ、該第２対物レンズ１２の集光動作によって第２光ディスクＤ２の信号記録層Ｌ２に集光される。
【００５６】
２波長レーザーダイオード３から放射される第２レーザー光は、前述した光路を通して第２光ディスクＤ２の信号記録層Ｌ２に集光されるが、前記第２光ディスクＤ２の信号記録層Ｌ２から反射される第２レーザー光の戻り光は、第２対物レンズ１２、波長選択性素子１３、コリメートレンズ９、１／４波長板８、偏光ビームスプリッタ７及びハーフミラー５を介して光検出器１５に照射される。
【００５７】
前述したように２波長レーザーダイオード３から放射される第２レーザー光の第２光ディスクＤ２の信号記録層Ｌ２への集光動作及び光検出器１５への戻り光の照射動作が行われるので、第２光ディスクＤ２に記録されている信号の読み出し制御動作を行うことが出来る。
【００５８】
そして、２波長レーザーダイオード３から生成放射される第３レーザー光は、第２レーザー光と同様に第２回折格子４、偏光ビームスプリッタ７、１／４波長板８、コリメートレンズ９及び波長選択性素子１３を介して第２対物レンズ１２に導かれ、該第２対物レンズ１２の集光動作によって第３光ディスクＤ３の信号記録層Ｌ３に集光される。
【００５９】
２波長レーザーダイオード３から放射される第３レーザー光は、前述した光路を通して第３光ディスクＤ３の信号記録層Ｌ３に集光されるが、前記第３光ディスクＤ３の信号記録層Ｌ３から反射される第３レーザー光の戻り光は、第２対物レンズ１２、波長選択性素子１３、コリメートレンズ９、１／４波長板８、偏光ビームスプリッタ７及びハーフミラー５を介して光検出器１５に照射される。
【００６０】
前述したように２波長レーザーダイオード３から放射される第３レーザー光の第３光ディスクＤ３の信号記録層Ｌ３への集光動作及び光検出器１５への戻り光の照射動作が行われるので、第３光ディスクＤ３に記録されている信号の読み出し制御動作を行うことが出来る。
【００６１】
また、本実施例において、コリメートレンズ９を光軸方向へ変位させることによって各光ディスクに設けられている透明な保護層の厚さの変化に伴って発生する球面収差を補正することが出来る。
【００６２】
尚、本実施例では、レーザーダイオード１から放射される第１レーザー光を第１光ディスクＤ１の信号記録層Ｌ１に集光させる第１対物レンズ１１と２波長レーザーダイオード３から放射される第２レーザー光及び第３レーザー光を第２光ディスクＤ２の信号記録層Ｌ２及び第３光ディスクＤ３の信号記録層Ｌ３に集光させる第２対物レンズ１２の２つの対物レンズを使用する光ピックアップ装置について説明したが、１つの対物レンズにて第１レーザー光、第２レーザー光及び第３レーザー光を第１光ディスクＤ１、第２光ディスクＤ２及び第３光ディスクＤ３に設けられている信号記録層Ｌ１、Ｌ２及びＬ３に集光させるように構成された光ピックアップ装置に実施することは勿論可能である。
【００６３】
また、波長が短い第１レーザー光を第１光ディスクの信号記録層に集光させる第１対物レンズ１１は第２対物レンズ１２に対して光ディスクの内周側に配置されるが、反対に外周側に配置することも出来る。
【産業上の利用可能性】
【００６４】
ＣＤ規格、ＤＶＤ規格及びＢｌｕ−ｒａｙ規格の光ディスク記録されている信号の読み出し動作を行う光ピックアップ装置に実施した場合について説明したが、その他の異なる規格の光ディスクに記録されている信号の読み出し動作を行うことが出来る光ピックアップ装置に実施することも出来る。
【符号の説明】
【００６５】
１      レーザーダイオード
３      ２波長レーザーダイオード
８      １／４波長板
９      コリメートレンズ
１０    収差補正用モーター
１１    第１対物レンズ
１２    第２対物レンズ
１５    光検出器
【図１】
2012169001.tif 000003
【図２】
2012169001.tif 000004
【図３】
2012169001.tif 000005